(57)【要約】      （修正有）【課題】縦型筒状体の内部を物品の収納に利用できる回転式掲示装置を提供する。【解決手段】縦型筒状体３を、縦軸の周りに回転可能に設け、外周面を掲示面にし、回転で掲示面が周方向に移動する回転式掲示装置において、下端に物品を載せる底板１６を設け、外周壁の一部を開口して物品出し入れ口にし、物品出し入れ口を開閉する蓋１１を設ける。蓋は、物品出し入れ口を閉鎖した状態で、外面が縦型筒状体の外周面の一部になり掲示面１１ａになる。また縦型筒状体に、収納中の物品の上側を覆う天板１７と、内部の上下方向中間位置に、物品を載せる棚板２１を設ける。さらに内面に、物品を吊下げるフック２２を設ける。【選択図】図１
0003200880.tif 000002
【実用新案登録請求の範囲】
【請求項１】
縦型筒状体は、縦軸の周りに回転可能に設け、外周面を掲示面にし、縦型筒状体の回転で掲示面が周方向に移動する回転式掲示装置において、
縦型筒状体は、内部を物品の収納空間にし、下端に物品を載せる底板を設け、外周壁の一部を開口して物品出し入れ口にし、物品出し入れ口を開閉する蓋を設け、
蓋は、物品出し入れ口を閉鎖した状態で、外面を縦型筒状体の外周面の一部にして掲示面にしていることを特徴とする回転式掲示装置。
ことを特徴とする。
【請求項２】
縦型筒状体は、収納中の物品の上側を覆う天板を設けていることを特徴とする請求項１に記載の回転式掲示装置。
【請求項３】
縦型筒状体は、内部の上下方向中間位置に、物品を載せる棚板を設けていることを特徴とする請求項１又は２に記載の回転式掲示装置。
【請求項４】
縦型筒状体は、内面に、物品を吊下げるフックを設けていることを特徴とする請求項１、２又は３に記載の回転式掲示装置。
【請求項５】
縦型筒状体は、基台の上に設けていることを特徴とする請求項１〜４のいずれかに記載の回転式掲示装置。
【請求項６】
縦型筒状体は、正面板、右側面板、背面板と左側面板を組み合わせて四角筒形状にし、その中心軸の周りに回転可能にし、
また、縦型筒状体は正面板位置を開口して物品出し入れ口にし、正面板は横方向に回転可能にして物品出し入れ口を開閉する扉式の蓋にしていることを特徴とする請求項１〜５のいずれかに記載の回転式掲示装置。
【考案の詳細な説明】
【技術分野】
【０００１】
本考案は、回転可能な縦型筒状体の外周面を掲示面にした回転式掲示装置に関する。
【背景技術】
【０００２】
回転式掲示装置は、縦型筒状体を縦軸の周りに回転可能に設けている。縦型筒状体は、円筒形状又は角筒形状にし、外周面を掲示面にしている。掲示面は、縦型筒状体の外周を一周している。縦型筒状体を回転すると、掲示面が周方向に移動する。
【０００３】
使用時には、掲示面に、お知らせの文字や図を記載した文書を留める。又は、掲示面に直接お知らせの文字や図を描く。即ち、お知らせを掲示する。複数の掲示事項は、掲示面の周方向に沿って配列する。そして、縦型筒状体を回転させて掲示面を周方向に移動する。複数の掲示事項の内の知らせる必要が最も高い最重要の掲示事項を、最も人目に付く側、例えば正面に配置する。その後、最重要の掲示事項が変更になると、縦型筒状体を回転させて掲示面を周方向に移動する。新しく最重要になった掲示事項を、最も人目に付く側、例えば正面に配置する。
【先行技術文献】
【特許文献】
【０００４】
【特許文献１】実開昭６１−１２４０９１号公報
【特許文献２】特開２０１４−１５３５８９号公報
【考案の概要】
【考案が解決しようとする課題】
【０００５】
［課  題］
上記のような回転式掲示装置は、建物の壁に掛ける平板の掲示板に比べ、壁がなくても使用可能であるが、専有床面積が広い。縦型筒状体は、外周面を掲示面にして利用しているが、内部を空洞のまま放置して利用していない。縦型筒状体の内部も有効に利用したい。広い専有床面積を有効に利用したい。
【０００６】
［着  想］
回転式掲示装置は、物品の収納装置を兼用することにする。即ち、回転式掲示装置において、縦型筒状体は、内部を物品の収納空間にし、下端に物品を載せる底板を設ける。そして、縦型筒状体は、外周壁の一部を開口して物品の出し入れ口にし、物品出し入れ口を開閉する蓋を設ける。蓋は、物品出し入れ口を閉鎖した状態で、外面を縦型筒状体の外周面の一部にして掲示面にする。
【０００７】
物品出し入れ口の蓋は、扉式が好ましいが、その他にスライド式や着脱式が例示される。
物品出し入れ口の形状は、矩形が典型例であるが、その他の形状にしてもよい。
縦型筒状体の内部に収納する物品は、収納可能な形状寸法であれば、特に制限はない。掲示予定の書類、掲示済みの書類や、掲示事項を書くフエルトペンのような筆記具、文房具が例示される。
好ましくは、縦型筒状体は、収納中の物品の上側を覆う天板を設ける。内部の上下方向中間位置には、物品を載せる棚板を設ける。また、内面には、物品を吊下げるフックを設ける。更に、縦型筒状体は、基台の上に設ける。
【課題を解決するための手段】
【０００８】
１．縦型筒状体は、縦軸の周りに回転可能に設け、外周面を掲示面にし、縦型筒状体の回転で掲示面が周方向に移動する回転式掲示装置において、
縦型筒状体は、内部を物品の収納空間にし、下端に物品を載せる底板を設け、外周壁の一部を開口して物品出し入れ口にし、物品出し入れ口を開閉する蓋を設け、
蓋は、物品出し入れ口を閉鎖した状態で、外面を縦型筒状体の外周面の一部にして掲示面にしていることを特徴とする。
２．上記１の回転式掲示装置において、
縦型筒状体は、収納中の物品の上側を覆う天板を設けていることを特徴とする。
３．上記１又は２の回転式掲示装置において、
縦型筒状体は、内部の上下方向中間位置に、物品を載せる棚板を設けていることを特徴とする。
４．上記１、２又は３の回転式掲示装置において、
縦型筒状体は、内面に、物品を吊下げるフックを設けていることを特徴とする。
５．上記１〜４のいずれかの回転式掲示装置において、
縦型筒状体は、基台の上に設けていることを特徴とする。
６．上記１〜５のいずれかの回転式掲示装置において、
縦型筒状体は、正面板、右側面板、背面板と左側面板を組み合わせて四角筒形状にし、その中心軸の周りに回転可能にし、
また、縦型筒状体は正面板位置を開口して物品出し入れ口にし、正面板は横方向に回転可能にして物品出し入れ口を開閉する扉式の蓋にしていることを特徴とする。
【考案の効果】
【０００９】
回転式掲示装置は、物品の収納装置としても利用される。専有床面積が有効に利用される。
【図面の簡単な説明】
【００１０】
【図１】本考案の実施形態における回転式掲示装置の正面図。
【図２】図１のＡ−Ａ線断面図。
【図３】同回転式掲示装置の平面図。
【図４】同回転式掲示装置の右側面図。
【図５】同回転式掲示装置の背面図。
【図６】同回転式掲示装置の左側面図。
【図７】同回転式掲示装置の蓋開放状態の正面図。
【図８】図７のＢ−Ｂ線断面図。
【図９】同回転式掲示装置の蓋開放状態の右側面図。
【図１０】同回転式掲示装置の物品収納状態の正面図。
【図１１】図１０のC−C線断面図。
【図１２】同回転式掲示装置の物品収納状態の右側面図。
【考案を実施するための形態】
【００１１】
実施形態の回転式掲示装置は、図１〜図６に示すように、基台１の上に支軸２を介して縦型筒状体３を設けている。縦型筒状体３は、その中心軸を縦に配置している。基台１、支軸２と縦型筒状体３は、中心軸を同一線上に揃えている。縦型筒状体３は、その中心軸の周りに回転可能にしている。その回転方向は、時計回りと反時計回りの両方向にしている。基台１は、平板にし、屋内又は屋外の設置場所の水平面に置く構成にしている。縦型筒状体３は、中心軸周りの回転力を与えると、基台１に対して回転する。
【００１２】
縦型筒状体３は、正面板１１、右側面板１２、背面板１３と左側面板１４の四枚の板を組み合わせて四角筒形状に構成している。これらの四枚の板１１、１２、１３、１４は、同一の矩形状にし、同一の寸法にしている。四枚の板１１、１２、１３、１４は、それぞれ、外面側をホワイトボード、白塗りの鉄板にしている。各板１１〜１４の外面は、それぞれ、ホワイトボードの外面にしている。ホワイトボードの外面には、書類を磁石片で留めることができ、また、フエルトペンで文字や図を描くことができる。即ち、各板１１、１２、１３、１４の外面は、それぞれ、掲示面１１ａ、１２ａ、１３ａ、１４ａにしている。四面の掲示面１１ａ、１２ａ、１３ａ、１４ａは、縦型筒状体３の外周を一周している。縦型筒状体３は、回転すると、四面の掲示面１１ａ〜１４ａが周方向に移動する。
【００１３】
同形同寸の正面板１１、右側面板１２、背面板１３と左側面板１４は、それぞれ、上端に自己表示片１１ｂ、１２ｂ、１３ｂ、１４ｂを取り付けている。四枚の自己表示片１１ｂ、１２ｂ、１３ｂ、１４ｂは、形状を異にし、その下側位置の板が正面板１１、右側面板１２、背面板１３又は左側面板１４であることを示す形状にしている。図１、３〜６に示す例では、自己表示片１１ｂ〜１４ｂは、横長形状にし、上辺にＶ字形状の谷を形成し、谷の数を異にしている。谷の数は、正面板の自己表示片１１ｂで１個、右側面板の自己表示片１２ｂで２個、背面板の自己表示片１３ｂで３個、左側面板の自己表示片１４ｂで４個にしている。
【００１４】
四角筒形状の縦型筒状体３は、下端開口に底板１６を、上端開口に天板１７を嵌め込んで固定している。縦型筒状体３は、直方体形状の殻構造にしている。また、右側面板１２、背面板１３と左側面板１４及び底板１６と天板１７は、相互に固定している。正面板１１は、固定せず、左側面板１４に上下２個のスライド丁番１８で取り付け、図７〜図９に示すように、左側に開く扉式の蓋にしている。縦型筒状体３は、直方体形状の蓋付き箱構造にしている。
【００１５】
即ち、縦型筒状体３は、内部を物品の収納空間にし、外周壁の正面板１１位置を開口して矩形の物品出し入れ口１９にしている。正面板１１は、可動にして物品出し入れ口１９を開閉する扉式の蓋にしている。正面板の扉式の蓋１１は、物品出し入れ口１９を閉鎖した状態で、外面を縦型筒状体３の外周面の一部にして掲示面１１ａにしている。回転式掲示装置は、物品の収納装置を兼用している。
【００１６】
この収納装置は、縦型筒状体３の内部、物品収納空間に、物品を載せる棚板２１を、右側面板１２と左側面板１４の間に掛け渡して上下方向中間位置に設けている。また、物品を吊下げるフック２２を右側面板１２と左側面板１４の内面にそれぞれ取り付けている。
【００１７】
回転式掲示装置を掲示装置として使用するときは、複数の掲示面１１ａ〜１４ａにそれぞれお知らせを掲示する。すると、複数の掲示事項を、縦型筒状体３の周方向に沿って配列することになる。お知らせ、掲示事項の配列後、縦型筒状体３を回転させて掲示面１１ａ〜１４ａを周方向に移動する。複数の掲示事項の内の知らせる必要が最も高い最重要の掲示事項を、最も人目に付く側に配置する。その後、最重要の掲示事項が変更になると、縦型筒状体３を回転させて掲示面１１ａ〜１４ａを周方向に移動する。新しく最重要になった掲示事項を、最も人目に付く側に配置する。例えば、複数の掲示事項が今日の予定表、明日の予定表と明後日の予定表である場合、今日の予定表を正面板の掲示面１１ａに掲示し、明日の予定表を右側面板の掲示面１２ａに、明後日の予定表を背面板の掲示面１３ａ又は左側面板の掲示面１４ａに掲示する。今日は、正面板１１を正面にし、正面板の掲示面１１ａに掲示した今日の予定表を正面に配置する。明日になると、縦型筒状体３を上から見て時計回りに四分の一回転させて右側面板１２を正面にし、右側面板の掲示面１２ａに掲示した明日の予定表を正面に配置する。明後日になると、縦型筒状体３を回転させて背面板１３又は左側面板１４を正面にし、背面板の掲示面１３ａ又は左側面板の掲示面１４ａに掲示した明後日の予定表を正面に配置する。
【００１８】
回転式掲示装置を物品の収納装置として使用するときは、図７〜図９に示すように、正面板の扉式の蓋１１を左側に回転して開き、物品出し入れ口１９を開放する。開放状態の物品出し入れ口１９から内部、物品収納空間に物品３１、３２、３３、３４を入れる。物品３１、３２は、内部の底板１６、棚板２１の上に載せる。物品３３、３４は、内部の左側、右側のフック２２に吊下げる。物品３１〜３４を入れた後、正面板の扉式の蓋１１を右側に回転して閉じ、図１０〜図１２に示すように、物品出し入れ口１９を閉鎖する。すると、閉鎖状態の物品収納空間に物品３１〜３４を収納することになる。
【００１９】
［変形例］
本考案は、上記の実施形態に限定されない。次のような変形が例示される。
１．上記の実施形態において、縦型筒状体３は、四角筒形状にしているが、円筒形状、三角筒形状、五角筒形状又はその他の筒形状にする。
２．上記の実施形態において、縦型筒状体３の回転軸は、中心軸にしているが、中心軸と平行する縦軸にする。
３．上記の実施形態において、縦型筒状体３の外周面の掲示面１１ａ〜１４ａは、ホワイトボードの外面にしているが、黒板の外面、書類をピンで留める板、例えばコルク板の外面又はその他の面にする。
４．上記の実施形態において、物品３１〜３４は、正面板１１、右側面板１２、背面板１３と左側面板１４及び底板１６と天板１７で囲われた閉鎖空間に収納するが、天板１７をなくして上方開放空間に収納する。
５．上記の実施形態において、扉式の蓋１１は、左開きにしているが、右開き、上開き、下開き又は観音開きにする。
６．上記の実施形態において、蓋１１は、横方向に回転する扉式にしているが、横方向若しくは縦方向に移動するスライド式、又は、取付けと取外しを行う着脱式にする。例えば、倹鈍箱の蓋のようにする。
７．上記の実施形態において、棚板２１は、前後方向長さを縦型筒状体３の内部、物品収納空間のそれの半分位にしているが、ほほ同じ位又はその他にする。
８．上記の実施形態において、物品出し入れ口１９は、一個所にしているが、複数個所にする。
９．上記の実施形態において、回転式掲示装置は、金属製の支軸２、板１１〜１４の外面側の鉄板製のホワイトボードと金属製のスライド丁番１８を除いて木製にしているが、その木製部分を金属製又は合成樹脂製にする。
１０．上記の実施形態において、物品３３、３４を吊下げるフック２２の位置は、右側面板１２と左側面板１４の内面、内部の側面にしているが、天板１７の下面、内部の上面にする。
１１．上記の実施形態において、物品出し入れ口１９と蓋１１は、錠と鍵を付けていないが、錠と鍵を付けて鍵で錠を開かないと物品出し入れ口９が開口しない構成にする。
１２．上記の実施形態において、基台１は、キャスタを付けていないが、キャスタを付けて移動容易にする。
【符号の説明】
【００２０】
１  基台、平板
２  支軸
３  縦型筒状体
１１  正面板、板、扉式の蓋
１２  右側面板、板
１３  背面板、板
１４  左側面板、板
１１ａ  正面板の掲示面
１２ａ  右側面板の掲示面
１３ａ  背面板の掲示面
１４ａ  左側面板の掲示面
１１ｂ  正面板の自己表示片
１２ｂ  右側面板の自己表示片
１３ｂ  背面板の自己表示片
１４ｂ  左側面板の自己表示片
１６  底板
１７  天板
１８  スライド丁番
１９  物品出し入れ口
２１  棚板
２２  フック
３１、３２  物品
３３、３４  物品
【図１】
0003200880.tif 000003
【図２】
0003200880.tif 000004
【図３】
0003200880.tif 000005
【図４】
0003200880.tif 000006
【図５】
0003200880.tif 000007
【図６】
0003200880.tif 000008
【図７】
0003200880.tif 000009
【図８】
0003200880.tif 000010
【図９】
0003200880.tif 000011
【図１０】
0003200880.tif 000012
【図１１】
0003200880.tif 000013
【図１２】
0003200880.tif 000014
【手続補正書】
【提出日】平成27年9月2日(2015.9.2)
【手続補正１】
【補正対象書類名】実用新案登録請求の範囲
【補正対象項目名】全文
【補正方法】変更
【補正の内容】
【実用新案登録請求の範囲】
【請求項１】
縦型筒状体は、縦軸の周りに回転可能に設け、外周面を掲示面にし、縦型筒状体の回転で掲示面が周方向に移動する回転式掲示装置において、
縦型筒状体は、内部を物品の収納空間にし、下端に物品を載せる底板を設け、外周壁の一部を開口して物品出し入れ口にし、物品出し入れ口を開閉する蓋を設け、
蓋は、物品出し入れ口を閉鎖した状態で、外面を縦型筒状体の外周面の一部にして掲示面にしていることを特徴とする回転式掲示装置。
【請求項２】
縦型筒状体は、収納中の物品の上側を覆う天板を設けていることを特徴とする請求項１に記載の回転式掲示装置。
【請求項３】
縦型筒状体は、内部の上下方向中間位置に、物品を載せる棚板を設けていることを特徴とする請求項１又は２に記載の回転式掲示装置。
【請求項４】
縦型筒状体は、内面に、物品を吊下げるフックを設けていることを特徴とする請求項１、２又は３に記載の回転式掲示装置。
【請求項５】
縦型筒状体は、基台の上に設けていることを特徴とする請求項１〜４のいずれかに記載の回転式掲示装置。
【請求項６】
縦型筒状体は、正面板、右側面板、背面板と左側面板を組み合わせて四角筒形状にし、その中心軸の周りに回転可能にし、
また、縦型筒状体は正面板位置を開口して物品出し入れ口にし、正面板は横方向に回転可能にして物品出し入れ口を開閉する扉式の蓋にしていることを特徴とする請求項１〜５のいずれかに記載の回転式掲示装置。